(57)【要約】【目的】  本発明の目的は、組み立て作業の容易化及び部品点数の低減を図ることができるフローティングコネクタアッセンブリを提供する。【構成】  アッセンブリは、収容孔を有する受台１００と、受台１００の収容孔に間隙を有して挿入され且つＸ方向に配列されたコネクタ２００と、第１リブ２１４とを備えている。コネクタ２００はＸ方向の第１、第２面２１３ａ、２１３ｂを有している。第１リブ２１４はコネクタ２００の第１、第２面２１３ａ、２１３ｂに連設されている。収容孔は係合孔を有し、係合孔はＸ方向の第１、第２内壁面１３１、１３２を有している。コネクタ２００のうち隣り合うコネクタ２００の隣り合う第１リブ２１４が互いに当接すると共に、コネクタ２００のうちの両端に位置するコネクタ２００の外側の第１リブ２１４が第１、第２内壁面１３１、１３２に当接することにより、コネクタ２００が浮動状態で支持される。【選択図】      図５Ｂ
2013114800.tif 000002
【特許請求の範囲】
【請求項１】
収容孔を有する受台と、
前記受台の収容孔に間隙を有して挿入され且つ第１方向に配列された複数のコネクタと、
複数の第１リブとを備えており、
前記コネクタは、前記第１方向の第１面と、
前記第１方向の前記第１面の反対側の第２面とを有しており、
前記第１リブは、前記コネクタの前記第１、第２面に連設されており、
前記収容孔は、前記第１方向の第１、第２内壁面を有しており、
前記コネクタのうち隣り合う前記コネクタの隣り合う前記第１リブが互いに当接すると共に、前記コネクタのうちの両端に位置する前記コネクタの外側の前記第１リブが前記第１、第２内壁面に当接することにより、前記コネクタが浮動状態で支持されるフローティングコネクタアッセンブリ。
【請求項２】
請求項２記載のフローティングコネクタアッセンブリにおいて、
複数の第２リブを更に備えており、
前記受台の前記収容孔は、前記第１方向に交差する第２方向の第３、第４内壁面を更に有しており、
前記コネクタは、前記第３、第４内壁面に対向する第３、第４面を更に有しており、
前記第２リブは、前記第３、第４面に連設され、前記第３、第４内壁面に当接する又は前記第３、第４内壁面に連設され、前記第３、第４面に当接するフローティングコネクタアッセンブリ。
【請求項３】
請求項１記載のフローティングコネクタアッセンブリにおいて、
前記受台の前記収容孔は、前記コネクタが間隙を有して挿入される複数の第１本体孔と、
前記第１本体孔に連通した係合孔とを有しており、
前記係合孔が前記第１、第２内壁面を有しており、
前記コネクタは、前記係合孔に間隙を有して収容され且つ前記第１本体孔の縁部に対向するフランジを有しており、
前記フランジは、前記第１、第２面を有しているフローティングコネクタアッセンブリ。
【請求項４】
請求項２記載のフローティングコネクタアッセンブリにおいて、
前記受台の前記収容孔は、前記コネクタが間隙を有して挿入される複数の第１本体孔と、
前記第１本体孔に連通しており且つ少なくとも前記第１方向の寸法が前記第１方向の両端に位置する第１本体孔の外側の壁面間の距離よりも大きい係合孔とを有しており、
前記係合孔が前記第１、第２、第３、第４内壁面を有しており、
前記コネクタは、前記係合孔に間隙を有して収容されたフランジを更に有しており、
前記フランジは、前記第１、第２、第３、第４面を有しているフローティングコネクタアッセンブリ。
【請求項５】
収容孔を有する受台と、
前記受台の収容孔に間隙を有して挿入されたコネクタと、
一対の第１リブとを備えており、
前記受台の収容孔は、第１方向の第１内壁面と、
前記第１方向の前記第１内壁面の反対側の第２内壁面とを有しており、
前記コネクタは、前記第１、第２内壁面に対向する第１、第２面を有しており、
前記第１リブが、前記第１、第２面に連設され、前記第１、第２内壁面に当接して前記コネクタを浮動状態で支持する又は前記第１、第２内壁面に連設され、前記第１、第２面に当接して前記コネクタを浮動状態で支持するフローティングコネクタアッセンブリ。
【請求項６】
請求項５記載のフローティングコネクタアッセンブリにおいて、
一対の第２リブを更に備えており、
前記受台の収容孔は、前記第１方向に交差する第２方向の第３、第４内壁面を更に有しており、
前記コネクタは、前記第３、第４内壁面に対向する第３、第４面を更に有しており、
前記第２リブが、前記第３、第４面に連設され、前記第３、第４内壁面に当接する又は前記第３、第４内壁面に連設され、前記第３、第４面に当接するフローティングコネクタアッセンブリ。
【請求項７】
請求項５記載のフローティングコネクタアッセンブリにおいて、
前記受台の前記収容孔は、第１本体孔と、
前記第１本体孔に連通し、少なくとも前記第１方向の寸法が当該第１本体孔の前記第１方向の寸法よりも大きい係合孔又は前記第１本体孔の内壁面に設けられた係合凹部とを有しており、
前記係合孔又は係合凹部は、前記第１、第２内壁面を有しており、
前記コネクタは、前記係合孔又は係合凹部に間隙を有して収容されたフランジを更に有しており、
前記フランジは、前記第１、第２面を有しているフローティングコネクタアッセンブリ。
【請求項８】
請求項６記載のフローティングコネクタアッセンブリにおいて、
前記受台の前記収容孔は、第１本体孔と、
前記第１本体孔に連通し、少なくとも前記第１方向の寸法が当該第１本体孔の前記第１方向の寸法よりも大きい係合孔又は前記第１本体孔の内壁面に設けられた係合凹部とを有しており、
前記係合孔又は係合凹部は、前記第１、第２、第３、第４内壁面を有しており、
前記コネクタは、前記係合孔又は係合凹部に間隙を有して収容されたフランジを更に有しており、
前記フランジは、前記第１、第２、第３、第４面を有しているフローティングコネクタアッセンブリ。
【請求項９】
請求項１〜８の何れかに記載のフローティングコネクタアッセンブリにおいて、
前記受台は、第１凹部を有する第１フレームと、
第２凹部を有する第２フレームとを有しており、
前記第１、第２フレームが組み合わされることにより、前記第１、第２凹部が組み合わされ、前記収容孔を構成するフローティングコネクタアッセンブリ。
【請求項１０】
請求項９記載のフローティングコネクタアッセンブリにおいて、
前記第１フレームは、前記第１凹部に連通する孔を更に有しており、
前記第１、第２フレームが組み合わされることにより、前記第１、第２凹部及び孔が組み合わされ、前記収容孔を構成するフローティングコネクタアッセンブリ。
【請求項１１】
請求項３〜４の何れかに記載のフローティングコネクタアッセンブリにおいて、
前記受台は、第１フレームと、
第２フレームとを有しており、
前記第１フレームは、前記複数の第１本体孔と、前記第１本体孔に連通する第１凹部とを有しており、
前記第２フレームは、第２凹部を有しており、
前記第１、第２フレームが組み合わされることにより、前記第１、第２凹部が組み合わされ、前記係合孔を構成するフローティングコネクタアッセンブリ。
【請求項１２】
請求項１１記載のフローティングコネクタアッセンブリにおいて、
前記受台の前記収容孔は、前記係合孔に連通する複数の第２本体孔を更に有しており、
前記第１フレームは、前記第１凹部に連通する複数の第３凹部を更に有しており、
前記第２フレームは、前記第２凹部に連通する複数の第４凹部を更に有しており、
前記第１、第２フレームが組み合わされることにより、前記第１、第２凹部が組み合わされ、前記係合孔を構成し、前記第３、第４凹部が組み合わされ、前記第２本体孔を構成するフローティングコネクタアッセンブリ。
【請求項１３】
請求項７〜８の何れかに記載のフローティングコネクタアッセンブリにおいて、
前記受台は、第１フレームと、
第２フレームとを有しており、
前記第１フレームは、前記第１本体孔と、前記第１本体孔に連通する第１凹部とを有しており、
前記第２フレームは、第２凹部を有しており、
前記第１、第２フレームが組み合わされることにより、前記第１、第２凹部が組み合わされ、前記係合孔を構成するフローティングコネクタアッセンブリ。
【請求項１４】
請求項１３記載のフローティングコネクタアッセンブリにおいて、
前記受台の前記収容孔は、前記係合孔に連通する第２本体孔を更に有しており、
前記第１フレームは、前記第１凹部に連通する第３凹部を更に有しており、
前記第２フレームは、前記第２凹部に連通する第４凹部を更に有しており、
前記第１、第２フレームが組み合わされることにより、前記第１、第２凹部が組み合わされ、前記係合孔を構成し、前記第３、第４凹部が組み合わされ、前記第２本体孔を構成するフローティングコネクタアッセンブリ。
【請求項１５】
請求項１〜１４の何れかに記載のフローティングコネクタアッセンブリにおいて、
前記当接は、点接触又は線接触であるフローティングコネクタアッセンブリ。
【請求項１６】
接続装置に接続可能な請求項１〜１５の何れかに記載のフローティングコネクタアッセンブリにおいて、
前記接続装置に係合可能な係合部を更に備えているフローティングコネクタアッセンブリ。
【発明の詳細な説明】
【技術分野】
【０００１】
本発明はフローティングコネクタアッセンブリに関する。
【背景技術】
【０００２】
この種のフローティングコネクタアッセンブリとしては、収容孔を有する受台と、この受台の収容孔に間隙を有して挿入されたコネクタと、弾性部材とを備えたものがある。弾性部材は、板バネやゴム等であって、コネクタと受台の収容孔の内壁面との間に介在することにより、当該コネクタを浮動可能な状態で支持している。
【先行技術文献】
【特許文献】
【０００３】
【特許文献１】特開平１１−３７４５号公報
【発明の概要】
【発明が解決しようとする課題】
【０００４】
上記フローティングコネクタアッセンブリは、コネクタと受台の収容孔の内壁面との間に弾性部材が介在する構成であることから、部品点数が増加する。また、弾性部材をコネクタと受台の収容孔の内壁面との間に介在させる作業が非常に手間である。
【０００５】
本発明は、上記事情に鑑みて創案されたものであって、その目的とするところは、組み立て作業の容易化及び部品点数の低減を図ることができるフローティングコネクタアッセンブリを提供することにある。
【課題を解決するための手段】
【０００６】
上記課題を解決するために、本発明の第１フローティングコネクタアッセンブリは、収容孔を有する受台と、前記受台の収容孔に間隙を有して挿入され且つ第１方向に配列された複数のコネクタと、複数の第１リブとを備えている。前記コネクタは、前記第１方向の第１面と、前記第１方向の前記第１面の反対側の第２面とを有している。前記第１リブは、前記コネクタの前記第１、第２面に連設されている。前記収容孔は、前記第１方向の第１、第２内壁面を有している。前記コネクタのうち隣り合う前記コネクタの隣り合う前記第１リブが互いに当接すると共に、前記コネクタのうちの両端に位置する前記コネクタの外側の前記第１リブが前記第１、第２内壁面に当接することにより、前記コネクタが浮動状態で支持されている。
【０００７】
このような発明の態様による場合、複数のコネクタのうちの隣り合うコネクタの隣り合う第１リブが互いに当接すると共に、複数のコネクタのうちの両端に位置するコネクタの外側の第１リブが受台の収容孔の第１、第２内壁面に当接することにより、複数のコネクタが浮動状態で支持されている。よって、斜めに向いた状態の相手方コネクタを少なくとも一つ含む複数の相手方コネクタを、複数のコネクタにスムーズに接続させることができる。また、前記複数の相手方コネクタを、前記複数のコネクタに接続させる際に、当該コネクタのこじりが抑制される。しかも、両端に位置するコネクタの外側の第１リブを受台の収容孔の第１、第２内壁面に当接させると共に、隣り合うコネクタの隣り合う第１リブを互いに当接させるだけで、複数のコネクタが浮動状態で支持されるようになっている。よって、上記アッセンブリの組み立て作業が容易になる。第１リブがコネクタの第１、第２面に連設されているので、部品点数の低減を図ることができる。
【０００８】
前記第１フローティングコネクタアッセンブリは、複数の第２リブを更に備えた構成とすることが可能である。前記受台の収容孔は、前記第１方向に交差する第２方向の第３、第４内壁面を更に有する構成とすることが可能である。前記コネクタは、前記第３、第４内壁面に対向する第３、第４面を更に有する構成とすることが可能である。前記第２リブは、前記第３、第４面に連設され、前記第３、第４内壁面に当接する又は前記第３、第４内壁面に連設され、前記第３、第４面に当接する構成とすることが可能である。
【０００９】
このような発明の態様による場合、第１リブに加えて、第３、第４面に連設された第２リブが第３、第４内壁面に当接する又は第３、第４内壁面に連設された第２リブが第３、第４面に当接することにより、コネクタが浮動状態で支持されるので、コネクタの浮動状態が安定する。
【００１０】
前記受台の前記収容孔は、前記コネクタが間隙を有して挿入される複数の第１本体孔と、前記第１本体孔に連通した係合孔とを有する構成とすることが可能である。前記係合孔が前記第１、第２内壁面を有する構成とすることが可能である。前記コネクタは、前記係合孔に間隙を有して収容され且つ前記第１本体孔の縁部に対向するフランジを有する構成とすることが可能である。前記フランジは、前記第１、第２面を有している。
【００１１】
このような発明の態様による場合、フランジの第１、第２面に第１リブが連接されているので、コネクタの揺動角度を大きくすることが可能になる。よって、傾斜角度の大きい相手方コネクタをコネクタに接続させることが可能になる。また、コネクタのフランジが、受台の収容孔の係合孔に間隙を有して収容され且つ前記第１本体孔の縁部に対向することにより、コネクタの収容孔からの抜けが防止される。
【００１２】
前記係合孔は、前記第３、第４内壁面を更に有する構成とすることが可能である。前記フランジは、前記第３、第４面を更に有する構成とすることが可能である。
【００１３】
このような発明の態様による場合、フランジの第１、第２面に第１リブが連接され、第３、第４面に第２リブが連接されているので、コネクタの揺動角度を大きくすることが可能になる。よって、傾斜角度の大きい相手方コネクタをコネクタに接続させることが可能になる。
【００１４】
本発明の第２フローティングコネクタアッセンブリは、収容孔を有する受台と、前記受台の収容孔に間隙を有して挿入されたコネクタと、一対の第１リブとを備えている。前記受台の収容孔は、第１方向の第１内壁面と、前記第１方向の前記第１内壁面の反対側の第２内壁面とを有している。前記コネクタは、前記第１、第２内壁面に対向する第１、第２面を有している。前記第１リブが、前記第１、第２面に連設され、前記第１、第２内壁面に当接して前記コネクタを浮動状態で支持している又は前記第１、第２内壁面に連設され、前記第１、第２面に当接して前記コネクタを浮動状態で支持している。
【００１５】
このような発明の態様による場合、第１、第２面又は第１、第２内壁面に設けられた第１リブが、第１、第２内壁面又は第１、第２面に当接することにより、コネクタが浮動状態で支持されている。よって、当該コネクタに、斜めに向いた状態の相手方コネクタをスムーズに接続させることができる。また、前記相手方コネクタを、前記コネクタに接続させる際に、当該コネクタのこじりが抑制される。しかも、第１、第２面又は第１、第２内壁面に設けられた第１リブを、第１、第２内壁面又は第１、第２面に当接させるだけで、コネクタが浮動状態で支持されるようになっている。よって、上記アッセンブリの組み立て作業が容易になる。また、第１リブがコネクタの第１、第２面又は受台の収容孔の第１、第２内壁面に連設されているので、部品点数の低減を図ることができる。
【００１６】
前記第２フローティングコネクタアッセンブリは、一対の第２リブを更に備えた構成とすることが可能である。前記受台の収容孔は、前記第１方向に交差する第２方向の第３、第４内壁面を更に有する構成とすることが可能である。前記コネクタは、前記第３、第４内壁面に対向する第３、第４面を更に有する構成とすることが可能である。前記第２リブが、前記第３、第４面に連設され、前記第３、第４内壁面に当接する又は前記第３、第４内壁面に連設され、前記第３、第４面に当接する構成とすることが可能である。
【００１７】
このような発明の態様による場合、第１リブに加えて、第３、第４面又は第３、第４内壁面に連設された第２リブが、第３、第４内壁面又は第３、第４面に当接することにより、コネクタが浮動状態で支持されるので、コネクタの浮動状態が安定する。
【００１８】
前記受台の前記収容孔は、第１本体孔と、前記第１本体孔に連通する係合孔又は係合凹部とを有する構成とすることが可能である。前記係合孔は少なくとも前記第１方向の寸法が当該第１本体孔の前記第１方向の寸法よりも大きい。前記係合凹部は、前記第１本体孔の内壁面に設けられている。前記係合孔又は係合凹部は、前記第１、第２内壁面を有する構成とすることが可能である。前記コネクタは、前記係合孔又は係合凹部に間隙を有して収容されたフランジを更に有する構成とすることが可能である。前記フランジは、前記第１、第２面を有する構成とすることが可能である。
【００１９】
このような発明の態様による場合、フランジの第１、第２面に第１リブが連接されているので、コネクタの揺動角度を大きくすることが可能になる。よって、傾斜角度の大きい相手方コネクタをコネクタに接続させることが可能になる。また、コネクタのフランジが、受台の収容孔の係合凹部又は係合孔に間隙を有して収容されることにより、コネクタの収容孔からの抜けが防止される。
【００２０】
前記係合凹部又は係合孔は、前記第３、第４内壁面を更に有する構成とすることが可能である。前記フランジは、前記第３、第４面を更に有する構成とすることが可能である。
【００２１】
このような発明の態様による場合、フランジの第１、第２面に第１リブが連接され、第３、第４面に第２リブが連接されているので、コネクタの揺動角度を大きくすることが可能になる。よって、傾斜角度の大きい相手方コネクタをコネクタに接続させることが可能になる。
【００２２】
前記受台は、第１凹部を有する第１フレームと、第２凹部を有する第２フレームとを有する構成とすることが可能である。前記第１、第２フレームが組み合わされることにより、前記第１、第２凹部が組み合わされ、前記収容孔を構成するようになっている。
【００２３】
このような発明の態様による場合、第１フレームの第１凹部又は第２フレームの第２凹部にコネクタが挿入された状態で、前記第１、第２フレームが組み合わされることにより、第１、第２凹部が組み合わされ、収容孔を構成する。よって、コネクタを受台の収容孔に容易に挿入できる。
【００２４】
前記第１フレームは、前記第１凹部に連通する孔を更に有する構成とすることが可能である。この場合、前記第１、第２フレームが組み合わされることにより、前記第１、第２凹部及び孔が組み合わされ、前記収容孔を構成する。
【００２５】
このような発明の態様による場合、第１フレームの孔及び第１凹部にコネクタが挿入された状態で、前記第１、第２フレームが組み合わされることにより、孔及び第１、第２凹部が組み合わされ、収容孔を構成する。よって、コネクタを受台の収容孔に容易に挿入できる。
【００２６】
前記受台は、第１フレームと、第２フレームとを有する構成とすることが可能である。前記第１フレームは、前記複数の第１本体孔と、前記第１本体孔に連通する第１凹部とを有する構成とすることが可能である。前記第２フレームは、第２凹部を有する構成とすることが可能である。前記第１、第２フレームが組み合わされることにより、前記第１、第２凹部が組み合わされ、前記係合孔を構成する。
【００２７】
前記受台の前記収容孔は、前記係合孔に連通する複数の第２本体孔を更に有する構成とすることが可能である。前記第１フレームは、前記第１凹部に連通する複数の第３凹部を更に有する構成とすることが可能である。前記第２フレームは、前記第２凹部に連通する複数の第４凹部を更に有する構成とすることが可能である。前記第１、第２フレームが組み合わされることにより、前記第１、第２凹部が組み合わされ、前記係合孔を構成し、前記第３、第４凹部が組み合わされ、前記第２本体孔を構成する。
【００２８】
前記第１フレームは、前記第１本体孔と、前記第１本体孔に連通する第１凹部とを有する構成とすることが可能である。前記第２フレームは、第２凹部を有する構成とすることが可能である。この場合、前記第１、第２フレームが組み合わされることにより、前記第１、第２凹部が組み合わされ、前記係合孔を構成する。
【００２９】
前記受台の前記収容孔は、前記係合孔に連通する第２本体孔を更に有する構成とすることが可能である。この場合、前記第１フレームは、前記第１凹部に連通する第３凹部を更に有する構成とすることが可能である。前記第２フレームは、前記第２凹部に連通する第４凹部を更に有する構成とすることが可能である。前記第１、第２フレームが組み合わされることにより、前記第１、第２凹部が組み合わされ、前記係合孔を構成し、前記第３、第４凹部が組み合わされ、前記第２本体孔を構成する。
【００３０】
前記当接は、点接触又は線接触とすることが可能である。
【００３１】
上記第１、第２フローティングコネクタアッセンブリは、接続装置に接続可能な構成とすることが可能である。前記アッセンブリは、前記接続装置に係合可能な係合部を更に備えた構成とすることが可能である。
【図面の簡単な説明】
【００３２】
【図１Ａ】図１Ａは、本発明の実施例１に係るフローティングコネクタアッセンブリの正面、平面及び右側面を表した概略的斜視図である。
【図１Ｂ】図１Ｂは、前記アッセンブリの背面、底面及び左側面を表した概略的斜視図である。
【図２Ａ】図２Ａは、前記アッセンブリ受台の背面、平面及び右側面を表した概略的分解斜視図である。
【図２Ｂ】図２Ｂは、前記アッセンブリ受台の正面、底面及び左側面を表した概略的分解斜視図である。
【図３】図３は、前記アッセンブリのコネクタ及びケーブルの正面、底面及び右側面を表した概略的斜視図である。
【図４】図４は、前記アッセンブリの係合部の正面、平面及び右側面を表した概略的斜視図である。
【図５Ａ】図５Ａは、前記アッセンブリの図１Ａ中の５Ａ−５Ａ概略的縦断面図である。
【図５Ｂ】図５Ｂは、前記アッセンブリの図１Ａ中の５Ｂ−５Ｂ概略的横断面図である。
【図６Ａ】図６Ａは、前記アッセンブリのコネクタがＺ方向に揺動した状態を示す拡大断面図である。
【図６Ｂ】図６Ｂは、前記アッセンブリのコネクタがＸ方向に揺動した状態を示す拡大部分断面図である。
【図７Ａ】図７Ａは、本発明の実施例２に係るフローティングコネクタアッセンブリの概略的縦断面図である。
【図７Ｂ】図７Ｂは、前記アッセンブリの概略的横断面図である。
【発明を実施するための形態】
【００３３】
以下、本発明の実施例１及び実施例２について説明する。
【実施例１】
【００３４】
まず、本発明の実施例１に係るフローティングコネクタアッセンブリについて図１Ａ〜図６Ｂを参照しつつ説明する。図１Ａ及び図１Ｂに示すフローティングコネクタアッセンブリは、受台１００と、複数のコネクタ２００と、複数のケーブル３００と、一対の係合部４００とを備えている。前記アッセンブリは、コネクタ２００が図示しない接続装置の複数の相手方コネクタに一度に接続可能である。以下、前記アッセンブリの各構成要件について詳しく説明する。なお、図１Ａ及び図１Ｂおいて、前記アッセンブリの長さ方向及びコネクタ２００の配列方向をＸ方向（第１方向）、前記アッセンブリの前後方向をＹ方向、前記アッセンブリの高さ方向をＺ方向（第２方向）として示している。Ｘ方向はＹ方向に直角に交差し、Ｚ方向は、Ｘ、Ｙ方向に直角に交差している。
【００３５】
受台１００は、図２Ａ及び図２Ｂに示すように、第１、第２フレーム１１０、１２０を有している。第１フレーム１１０は絶縁樹脂製の矩形状のブロックである。この第１フレーム１１０は、複数の第１本体孔１１１と、第１凹部１１２と、複数の第３凹部１１３と、嵌合凹部１１４と、一対の支持孔１１５とを有している。嵌合凹部１１４は、第１フレーム１１０の後端部の上側部分（Ｙ方向の他端部のＺ方向の一方側部分）に設けられた矩形状の凹部である。第１凹部１１２は、嵌合凹部１１４の底面の前側部分（Ｙ方向の一端部）に設けられた略Ｕ字状の凹部である。複数の第３凹部１１３は、略Ｕ字状の凹部であって、嵌合凹部１１４の底面の第１凹部１１２の後側部分にＸ方向に間隔をあけて設けられている。第３凹部１１３は第１凹部１１２及び嵌合凹部１１４に連通している。複数の第１本体孔１１１は、第１フレーム１１０の前端部に第３凹部１１３と同間隔で設けられた矩形状の孔である。この第１本体孔１１１は、第１フレーム１１０の前面（Ｙ方向の一端面）から嵌合凹部１１４及び第１凹部１１２のＹ方向の壁面にかけて貫通し、第１凹部１１２に連通している。支持孔１１５は、受台１００の嵌合凹部１１４のＸ方向の両側部分に設けられている。支持孔１１５は、第１フレーム１１０の前面から後面（Ｙ方向の他端面）にかけて貫通している。この支持孔１１５は、径が係合部４００の後述する第１ネック４２０の外径よりも大きく且つ係合部４００の後述するネジ部４１０及び第２ネック４３０の外径よりも小さい小径孔１１５ａを有している。
【００３６】
第２フレーム１２０は、第１フレーム１１０の嵌合凹部１１４に嵌合し、ネジ止めされる絶縁樹脂製の矩形状のブロックである。第２フレーム１２０は、第２凹部１２１と、複数の第４凹部１２２とを有している。第２凹部１２１は、第２フレーム１２０の下端部（Ｚ方向の他端部）の前側部分に設けられた略Ｕ字状の凹部である。複数の第４凹部１２２は、第２フレーム１２０の下端部の第２凹部１２１の後側部分に第１フレーム１１０の第３凹部１１３と同間隔で設けられている。第２凹部１２１は、Ｚ方向において第１凹部１１２と対称形状をなし、第４凹部１２２は、Ｚ方向において対応する第３凹部１１３と対称形状をなしている。
【００３７】
第２フレーム１２０が第１フレーム１１０の嵌合凹部１１４に嵌合した状態（第１、第２フレーム１１０、１２０が組み合わされた状態）で、第１、第２凹部１１２、１２１が組み合わされ、対応する第３、第４凹部１１３、１２２が各々組み合わされる。組み合わされた第１、第２凹部１１２、１２１が、複数の第１本体孔１１１に連通する矩形状の係合孔を構成する。前記係合孔（第１、第２凹部１１２、１２１）のＸ方向の寸法は、Ｘ方向の両端の第１本体孔１１１の外側の壁面間の距離Ｄよりも大きい（図５Ｂ参照）。前記係合孔のＺ方向の寸法（第１、第２凹部１１２、１２１のＺ方向の寸法の和）は、第１本体孔１１１のＺ方向の寸法よりも大きい。第１、第２凹部１１２、１２１のＸ方向の両内側面が前記係合孔のＸ方向の第１、第２内壁面１３１、１３２となっている。第２凹部１２１の天井面が前記係合孔のＺ方向の第３内壁面１３３、第１凹部１１２の底面が前記係合孔のＺ方向の第４内壁面１３４となっている。また、組み合わされた第３、第４凹部１１３、１２２が、前記係合孔に連通し且つ外形が第１本体孔１１１と同じ矩形状の第２本体孔を構成する。複数の第１本体孔１１１と、前記係合孔と、複数の第２本体孔とが受台１００の収容孔を構成している。この収容孔にコネクタ２００が挿入され、当該コネクタ２００がＸ方向に間隔をあけて一列で配列されている。
【００３８】
各コネクタ２００は、Mini  Display  Portである。各コネクタ２００は、図３、図５Ａ及び図５Ｂに示すように、ボディ２１０と、複数のコンタクト２２０と、基板２３０と、支持台２４０と、第１ブロック２５０と、第２ブロック２６０と、シェル２７０とを有している。基板２３０はプリント基板である。基板２３０は、Ｙ方向の先端部と、Ｙ方向の後端部と、先端部と後端部との間の中間部とを有している。支持台２４０は、基板２３０の先端部に外嵌したリング状の絶縁樹脂ブロックである。この支持台２４０の上下面には、図示しない複数の突脈がＸ方向に間隔をあけて設けられている。
【００３９】
第１ブロック２５０は横向き略Ｕ字状の絶縁樹脂ブロックである。この第１ブロック２５０は、Ｙ方向の先端部と、Ｙ方向の後端部と、先端部と後端部の間の中間部とを有している。第１ブロック２５０の前記先端部には、矩形状の凹部２５１が設けられている。この凹部２５１の天井面及び底面には、Ｙ方向に延びた複数の溝２５１ａがＸ方向に間隔をあけて設けられている。第１ブロック２５０の前記後端部には、矩形状の穴部２５２が設けられている。穴部２５２の天井面及び底面には、Ｙ方向に延びた図示しない複数の溝が溝２５１ａと同間隔で設けられている。第１ブロック２５０の中間部には、溝２５１ａと穴部２５２の溝とを連通させる複数のスリットが上下２列で設けられている。この溝２５１ａ、穴部２５２の溝及びスリットにコンタクト２２０が収容されている。穴部２５２には、基板２３０の先端部及び支持台２４０が嵌合している。支持台２４０の突脈が穴部２５２の溝に挿入され、当該溝内のコンタクト２２０に当接している。
【００４０】
コンタクト２２０はＹ方向に延びた金属板である。コンタクト２２０は、Ｙ方向の先端部と、Ｙ方向の後端部とを有している。コンタクト２２０の先端部は、略Ｖ字状に折り曲げられている。このコンタクト２２０の先端部の頂部が第１ブロック２５０の凹部２５１の溝２５１ａから突出し、当該凹部２５１内に配置されている。コンタクト２２０の頂部が上記接続装置の相手方コネクタのコンタクトに接触可能となっている。コンタクト２２０の後端部は、第１ブロック２５０の穴部２５２の溝から後方に突出し、基板２３０の中間部上に接続されている。
【００４１】
ケーブル３００は複数の信号線を有している。各信号線は、芯線３１０と、この芯線３１０を被覆する絶縁膜３２０とを有している。芯線３１０が基板２３０の後端部に接続されている。コンタクト２２０とケーブル３００の信号線の芯線３１０とが基板２３０を介して接続されている。なお、図１Ａ、図１Ｂ、図３及び図５Ａ〜図６Ｂにおいて、ケーブル３００は、長さ方向の一方の端部のみが示されている。
【００４２】
第２ブロック２６０は横向き略Ｕ字状の絶縁樹脂ブロックである。この第２ブロック２６０には、基板２３０の後端部及び信号線３１０のＹ方向の端部がオーバーモールド成型により埋め込まれている。シェル２７０は角筒状の金属板である。このシェル２７０内には、第１ブロック２５０、複数のコンタクト２２０、支持台２４０、基板２３０、第２ブロック２６０及び信号線３１０の端部が収容されている。
【００４３】
ボディ２１０は、保持部２１１と、ブッシュ２１２と、フランジ２１３と、一対の第１、第２リブ２１４、２１５とを有する絶縁樹脂製の射出成形品である。保持部２１１は、角柱状のブロックである。この保持部２１１には、シェル２７０の後端側の略半分、基板２３０の中間部、複数のコンタクト２２０の後端部、第２ブロック２６０及びケーブル３００の端部がオーバーモールド成型により埋め込まれ、保持されている。ブッシュ２１２は、保持部２１１の後端に連接された円筒であって、部分的に切り欠かれている。このブッシュ２１２内には、オーバーモールド成型によりケーブル３００が通されている。保持部２１１は、受台１００の収容孔の第１本体孔１１１及び第２本体孔（第３、第４凹部１１３、１２２）に間隙を有して収容されている。シェル２７０の先端側の略半分、第１ブロック２５０、支持台２４０、基板２３０の先端部及びコンタクト２２０の先端部コンタクト２２０の中間部が第１本体孔１１１から突出している。この突出した部分が、相手方コネクタに接続可能なコネクタ２００の接続部をなしている。
【００４４】
フランジ２１３は保持部２１１の外周面上に一体的に設けられた略角形のリング状の凸部である。フランジ２１３の外形は、第１フレーム１１０の第１本体孔１１１の内形よりも大きい。このフランジ２１３は、受台１００の収容孔の係合孔（第１、第２凹部１１２、１２１）に間隙を有して収容されている。フランジ２１３は、Ｘ方向の第１面２１３ａと、Ｘ方向の第１面２１３ａの反対側の第２面２１３ｂと、Ｚ方向の第３面２１３ｃと、Ｚ方向の第３面２１３ｃの反対側の第４面２１３ｄとを有している。第１リブ２１４は、ボディ２１０のオーバーモールド成型時に、フランジ２１３の第１、第２面２１３ａ、２１３ｂ上に一体的に連接された突脈である。第２リブ２１５は、ボディ２１０のオーバーモールド成型時に、フランジ２１３の第３、第４面２１３ｃ、２１３ｄ上に一体的に連接された突脈である。第１、第２リブ２１４、２１５は、その幅寸法が先端側に向けて漸次低減している。
【００４５】
図５Ｂに示すように、複数のコネクタ２００のうち、Ｘ方向の一方側の端に位置するコネクタ２００の第１面２１３ａが受台１００の上記係合孔の第１内壁面１３１に対向し、当該コネクタ２００の第１面２１３ａ上の第１リブ２１４（外側の第１リブ）が第１内壁面１３１に線接触（当接）している。複数のコネクタ２００のうち、Ｘ方向の他方側の端に位置するコネクタ２００の第２面２１３ｂが受台１００の上記係合孔の第２内壁面１３２に対向し、当該コネクタ２００の第２面２１３ｂ上の第１リブ２１４（外側の第１リブ）が第２内壁面１３２に線接触（当接）している。複数のコネクタ２００のうち、隣り合うコネクタ２００の第１面２１３ａとコネクタ２００の第２面２１３ｂとが対向し、隣り合う第１リブ２１４同士が線接触している。また、図５Ａに示すように、全コネクタ２００の第３、第４面２１３ｃ、２１３ｄが受台１００の上記係合孔の第３、第４内壁面１３３、１３４に対向し、当該コネクタ２００の第３、第４面２１３ｃ、２１３ｄ上の第２リブ２１５が第３、第４内壁面１３３、１３４に線接触している。すなわち、Ｘ方向の両端に位置するコネクタ２００の外側の第１リブ２１４が受台１００の係合孔の第１、第２内壁面１３１、１３２に線接触し、隣り合うコネクタ２００の隣り合う第１リブ２１４同士が線接触し、且つ、全コネクタ２００の第２リブ２１５が第３、第４内壁面１３３、１３４に線接触することにより、全コネクタ２００が受台１００に浮動状態で支持され、コネクタ２００が各々Ｘ方向及びＺ方向に揺動可能となっている。
【００４６】
各係合部４００は、図４に示すように、多段状の円柱である。この係合部４００は、ネジ部４１０と、第１ネック４２０と、第２ネック４３０と、ハンドル４４０とを有している。ネジ部４１０は円柱状であり且つその外周面に図示しないネジ溝が形成されている。第１ネック４２０は、ネジ部４１０に連接された円柱である。第１ネック４２０の外径はネジ部４１０の外径よりも小さい。第２ネック４３０は第１ネック４２０に連接された円柱である。第２ネック４３０の外径は、ネジ部４１０及び第１ネック４２０の外径よりも大きい。ハンドル４４０は、第２ネック４３０に連接された円柱である。ハンドル４４０の外径は、第２ネック４３０の外径よりも大きい。ネジ部４１０、第１ネック４２０及び第２ネック４３０が受台１００の支持孔１１５にＹ方向に移動自在且つ回転自在に挿入されている。第１ネック４２０は、支持孔１１５の小径孔１１５ａに通されており、ネジ部４１０及び第２ネック４３０が小径孔１１５ａの周縁部に当接可能となっている。これにより、係合部４００の支持孔１１５からの抜けが防止されている。ネジ部４１０、第１ネック４２０及び第２ネック４３０が受台１００の支持孔１１５内を前方（Ｙ方向の一端側）に移動することにより、ネジ部４１０が支持孔１１５から突出する。この状態で、ハンドル４４０が回転操作されることにより、ネジ部４１０が上記接続装置のネジ孔に螺着可能となる。
【００４７】
以下、上述したアッセンブリの組み立て手順について詳しく説明する。まず、絶縁樹脂が射出成形されることにより作成された受台１００の第１フレーム１１０を用意する。その後、ケーブル３００が接続されたコネクタ２００を用意する。その後、コネクタ２００の接続部を第１フレーム１１０の対応する第１本体孔１１１に後端側から挿入し、当該第１本体孔１１１から先端側に突出させる。すると、コネクタ２００の保持部２１１の先端部が、第１フレーム１１０の対応する第１本体孔１１１に挿入され、コネクタ２００のフランジ２１３が第１フレーム１１０の第１凹部１１２に挿入されて第１フレーム１１０の対応する第１本体孔１１１の縁部に対向し、コネクタ２００の保持部２１１の後端部が第１フレーム１１０の対応する第３凹部１１３に挿入される。このとき、コネクタ２００のうちのＸ方向の一方側の端に位置するコネクタ２００の第１面２１３ａ上の第１リブ２１４が第１凹部１１２の第１内壁面１３１に線接触し、コネクタ２００のうちのＸ方向の他方側の端に位置するコネクタ２００の第２面２１３ｂ上の第１リブ２１４が第１凹部１１２の第２内壁面１３２に線接触する。隣り合うコネクタ２００の第１面２１３ａ上の第１リブ２１４とコネクタ２００の第２面２１３ｂ上の第１リブ２１４とが互いに線接触する。これと共に、全コネクタ２００のフランジ２１３の第４面２１３ｄが第１フレーム１１０の第１凹部１１２の第４内壁面１３４に対向し、第４面２１３ｄ上の第２リブ２１５が第４内壁面１３４に線接触する。
【００４８】
その一方で、一対の係合部４００を用意する。その後、係合部４００のネジ部４１０及び第１、第２ネック４２０、４３０を第１フレーム１１０の支持孔１１５に押し込む。なお、後述するように第１、第２フレーム１１０、１２０が組み合わされた後に、係合部４００を第１フレーム１１０の支持孔１１５に挿入することも可能である。
【００４９】
その後、絶縁樹脂が射出成形されることにより作成された第２フレーム１２０を用意する。その後、第２フレーム１２０を第１フレーム１１０の嵌合凹部１１４に嵌合させる（すなわち、第１、第２フレーム１１０、１２０を組み合わせる。）。すると、複数のコネクタ２００のうちのＸ方向の一方側の端に位置するコネクタ２００の第１面２１３ａ上の第１リブ２１４が第２フレーム１２０の第２凹部１２１の第１内壁面１３１に線接触し、複数のコネクタ２００のうちのＸ方向の他方側の端に位置するコネクタ２００の第２面２１３ｂ上の第１リブ２１４が第２フレーム１２０の第２凹部１２１の第２内壁面１３２に線接触する。これと共に、全コネクタ２００のフランジ２１３の第３面２１３ｃが第２フレーム１２０の第２凹部１２１の第３内壁面１３３に対向し、第３面２１３ｃ上の第２リブ２１５が第３内壁面１３３に線接触する。これにより、コネクタ２００が受台１００に浮動状態で支持される。その後、第２フレーム１２０を第１フレーム１１０にネジ止めする。
【００５０】
以下、上記アッセンブリの複数のコネクタ２００が上記接続装置の複数の相手方コネクタに一度に接続する手順について説明する。複数の相手方コネクタのうち１又は複数の相手方コネクタがＺ方向に傾いた状態で前記接続装置の基板に実装されている場合、コネクタ２００の上記接続部を接続装置の対応する相手方コネクタに接続する。このとき、Ｚ方向に傾いた相手方コネクタ以外に対応するコネクタ２００は、揺動することなく、当該相手方コネクタに接続される。一方、Ｚ方向に傾いた相手方コネクタに対応するコネクタ２００は、図６Ａに示すように、第２リブ２１５を支点として当該相手方コネクタの傾きに応じてＺ方向に揺動し、接続される。
【００５１】
複数の相手方コネクタのうち１又は複数の相手方コネクタがＸ方向に傾いた状態で基板に実装されている場合、コネクタ２００の上記接続部を接続装置の対応する相手方コネクタに接続する。このとき、Ｘ方向に傾いた相手方コネクタ以外に対応するコネクタ２００は、揺動することなく、当該相手方コネクタに接続される。一方、Ｘ方向に傾いた相手方コネクタに対応するコネクタ２００は、図６Ｂに示すように、第１リブ２１４を支点として当該相手方コネクタの傾きに応じてＸ方向に揺動し、接続される。
【００５２】
複数の相手方コネクタのうち１又は複数の相手方コネクタがＸ方向及びＺ方向に傾いた状態で基板に実装されている場合、コネクタ２００の上記接続部を接続装置の対応する相手方コネクタに接続する。このとき、Ｘ方向及びＺ方向に傾いた相手方コネクタ以外に対応するコネクタ２００は、揺動することなく、当該相手方コネクタに接続される。一方、Ｘ方向及びＺ方向に傾いた相手方コネクタに対応するコネクタ２００は、第１、第２リブ２１４、２１５を支点として当該相手方コネクタの傾きに応じてＸ方向及びＺ方向に揺動し、接続される。
【００５３】
その後、係合部４００のハンドル４４０が回転操作されることにより、受台１００の支持孔１１５から突出したネジ部４１０が上記接続装置のネジ孔に螺着される。
【００５４】
このようなフローティングコネクタアッセンブリによる場合、Ｘ方向の両端に位置するコネクタ２００の外側の第１リブ２１４が受台１００の係合孔の第１、第２内壁面１３１、１３２に線接触し、隣り合うコネクタ２００の隣り合う第１リブ２１４同士が線接触し、且つ、全コネクタ２００の第２リブ２１５が第３、第４内壁面１３３、１３４に線接触することにより、全コネクタ２００が受台１００に浮動状態で支持されている。よって、斜めに向いた状態の相手方コネクタを少なくとも一つ含む複数の相手方コネクタを、複数のコネクタ２００にスムーズに接続させることができる。また、複数の相手方コネクタを、複数のコネクタ２００に接続させる際に、コネクタ２００のこじりが抑制される。また、第１リブ２１４がコネクタ２００のフランジ２１３の第１、第２面２１３ａ、２１３ｂに一体的に連接され、第２リブ２１５がフランジ２１３の第３、第４面２１３ｃ、２１３ｄに一体的に連接されているので、コネクタ２００のＸ方向及びＺ方向の揺動角度を大きくすることが可能になる。よって、コネクタ２００を傾斜角度の大きい相手方コネクタに接続させることが可能になる。
【００５５】
また、コネクタ２００のフランジ２１３を受台１００の係合孔に収容させるだけで、Ｘ方向の両端に位置するコネクタ２００の外側の第１リブ２１４が受台１００の係合孔の第１、第２内壁面１３１、１３２に線接触し、隣り合うコネクタ２００の隣り合う第１リブ２１４同士が線接触し、且つ、全コネクタ２００の第２リブ２１５を第３、第４内壁面１３３、１３４に線接触し、全コネクタ２００が浮動状態で受台１００に支持される。すなわち、コネクタ２００を受台１００に浮動状態で支持させる工程を容易に行うことができるので、上記アッセンブリの組み立て作業が容易になる。
【００５６】
しかも、第１リブ２１４がコネクタ２００のボディ２１０のフランジ２１３の第１、第２面２１３ａ、２１３ｂに一体的に設けられた絶縁樹脂製の突脈である。第２リブ２１５もコネクタ２００のボディ２１０のフランジ２１３の第３、第４面２１３ｃ、２１３ｄに一体的に設けられた絶縁樹脂製の突脈である。よって、上記アッセンブリの部品点数の低減を図ることができ、低コスト化をはかることができる。また、フランジ２１３が受台１００の係合孔に収容され、第１本体孔１１１の縁部及び第２本体部の縁部に対向しているので、上記アッセンブリの部品点数を増加させることなく、コネクタ２００の抜け止めを実現させることができる。
【実施例２】
【００５７】
次に、本発明の実施例２に係るフローティングコネクタアッセンブリについて図７Ａ及び図７Ｂを参照しつつ説明する。図７Ａ及び図７Ｂに示すフローティングコネクタアッセンブリは、コネクタ２００が一つである点及び受台１００’の構成の点で、実施例１のアッセンブリを相違している。よって、その相違点についてのみ詳しく説明し、重複する説明については省略する。なお、受台の符号については、’を付して実施例１の受台と区別する。本実施例２のコネクタは、実施例１のコネクタと同じ構成であるため、実施例１のコネクタと同じ符号を使用する。
【００５８】
受台１００’は、図７Ａ及び図７Ｂに示すように、コネクタ２００が間隙を有して挿入される収容孔の構成が、実施例１の受台１００と相違している。前記収容孔は、一つの第１本体孔１１１’と、一つの係合孔（第１凹部１１２’及び第２凹部１２１’）と、一つの第２本体孔（第３凹部１１３’及び第４凹部１２２’）とにより構成されている。
【００５９】
第１フレーム１１０’は、第１本体孔１１１’と、第１凹部１１２’と、第３凹部１１３’と、嵌合凹部１１４’と、一対の支持孔１１５’とを有している。第１本体孔１１１’、第３凹部１１３’及び支持孔１１５’は実施例１の第１本体孔１１１、第３凹部１１３及び支持孔１１５’と同じものである。なお、図７Ｂ中の１１５ａ’は、支持孔１１５’の小径孔である。第１凹部１１２’は、Ｘ方向の寸法が第１本体孔１１１’のＸ方向の寸法よりも大きい点で、実施例１の第１凹部１１２と相違している。嵌合凹部１１４’は、Ｘ方向の寸法が実施例１の嵌合凹部１１４のＸ方向の寸法よりも小さい点で、嵌合凹部１１４と相違している。
【００６０】
第２フレーム１２０’は、第１フレーム１１０’の嵌合凹部１１４’に嵌合し、ネジ止めされる絶縁樹脂製の矩形状のブロックである。よって、第２フレーム１２０’のＸ方向の寸法は、実施例１の第２フレーム１２０のＸ方向の寸法よりも小さい。第２フレーム１２０’は、第２凹部１２１’と、第４凹部１２２’とを有している。第４凹部１２２’は実施例１の第４凹部１２２と同じものである。第２凹部１２１’は、Ｚ方向において第１凹部１１２’と対称形状をなしている。
【００６１】
第２フレーム１２０’が第１フレーム１１０’の嵌合凹部１１４’に嵌合した状態（第１、第２フレーム１１０’、１２０’が組み合わされた状態）で、第１、第２凹部１１２’、１２１’が組み合わされ、第３、第４凹部１１３’１２２’が組み合わされる。組み合わされた第１、第２凹部１１２’、１２１’が、第１本体孔１１１’に連通する矩形状の係合孔を構成する。前記係合孔（第１、第２凹部１１２’、１２１’）のＸ方向の寸法は、第１本体孔１１１’のＸ方向の寸法よりも大きい。前記係合孔のＺ方向の寸法（第１、第２凹部１１２、１２１のＺ方向の寸法の和）は、第１本体孔１１１’のＺ方向の寸法よりも大きい。第１、第２凹部１１２’、１２１’のＸ方向の両内側面が前記係合孔のＸ方向の第１、第２内壁面１３１’、１３２’となっている。第２凹部１２１’の天井面が前記係合孔のＺ方向の第３内壁面１３３’、第１凹部１１２’の底面が前記係合孔のＺ方向の第４内壁面１３４’となっている。また、組み合わされた第３、第４凹部１１３’、１２２’が、前記係合孔に連通し且つ外形が第１本体孔１１１’と同じ矩形状の第２本体孔を構成する。
【００６２】
コネクタ２００の保持部２１１は、受台１００’の収容孔の第１本体孔１１１’及び第２本体孔（第３、第４凹部１１３’、１２２’）に間隙を有して収容されている。コネクタ２００のフランジ２１３の外形が受台１００’の第１本体孔１１１’の内形よりも大きい。このコネクタ２００のフランジ２１３は、受台１００’の係合孔に間隙を有して収容されている。コネクタ２００のフランジ２１３の第１、第２面２１３ａ、２１３ｂが受台１００’の係合孔の第１、第２内壁面１３１’、１３２’に対向し、当該第１、第２面２１３ａ、２１３ｂ上の第１リブ２１４が第１、第２内壁面１３１’、１３２’に線接触（当接）している。コネクタ２００の第３、第４面２１３ｃ、２１３ｄが受台１００’の係合孔の第３、第４内壁面１３３’、１３４’に対向し、第３、第４面２１３ｃ、２１３ｄ上の第２リブ２１５が第３、第４内壁面１３３’、１３４’に線接触している。これにより、コネクタ２００が受台１００’に浮動状態で支持され、Ｘ方向及びＺ方向に揺動可能となっている。
【００６３】
以下、上述したアッセンブリの組み立て手順について詳しく説明する。まず、絶縁樹脂が射出成形されることにより作成された受台１００’の第１フレーム１１０’を用意する。その後、ケーブル３００が接続されたコネクタ２００を用意する。その後、コネクタ２００の接続部を第１フレーム１１０’の第１本体孔１１１’に後端側から挿入し、当該第１本体孔１１１’から先端側に突出させる。すると、コネクタ２００の保持部２１１の先端部が、第１フレーム１１０’の第１本体孔１１１’に挿入され、コネクタ２００のフランジ２１３が第１フレーム１１０’の第１凹部１１２’に挿入され、コネクタ２００の保持部２１１の後端部が第１フレーム１１０’の対応する第３凹部１１３’に挿入される。このとき、コネクタ２００の第１、第２面２１３ａ、２１３ｂが第１フレーム１１０’の第１凹部１１２’の第１、第２内壁面１３１’、１３２’に対向し、第１、第２面２１３ａ、２１３ｂ上の第１リブ２１４が第１、第２内壁面１３１’、１３２’に線接触する。これと共に、コネクタ２００のフランジ２１３の第４面２１３ｄが第１フレーム１１０’の第１凹部１１２’の第４内壁面１３４’に対向し、第４面２１３ｄ上の第２リブ２１５が第４内壁面１３４’に線接触する。
【００６４】
その一方で、一対の係合部４００を用意する。その後、係合部４００のネジ部４１０及び第１、第２ネック４２０、４３０を第１フレーム１１０’の支持孔１１５’に押し込む。なお、後述するように第１、第２フレーム１１０’、１２０’が組み合わされた後に、係合部４００を第１フレーム１１０’の支持孔１１５’に挿入することも可能である。
【００６５】
その後、絶縁樹脂が射出成形されることにより作成された第２フレーム１２０’を用意する。その後、第２フレーム１２０’を第１フレーム１１０’の嵌合凹部１１４’に嵌合させる（すなわち、第１、第２フレーム１１０’、１２０’を組み合わせる。）。すると、コネクタ２００の第１、第２面２１３ａ、２１３ｂが第２フレーム１２０’の第２凹部１２１’の第１、第２内壁面１３１’、１３２’に対向し、第１、第２面２１３ａ、２１３ｂ上の第１リブ２１４が第１、第２内壁面１３１’、１３２’に線接触する。これと共に、コネクタ２００のフランジ２１３の第３面２１３ｃが第２フレーム１２０’の第２凹部１２１’の第３内壁面１３３’に対向し、第３面２１３ｃ上の第２リブ２１５が第３内壁面１３３’に線接触する。これにより、コネクタ２００が受台１００’に浮動状態で支持される。その後、第２フレーム１２０’を第１フレーム１１０’にネジ止めする。
【００６６】
以下、上記アッセンブリの複数のコネクタ２００が接続装置に接続する手順について説明する。なお、前記接続装置は、一つに相手方コネクタと、この相手方コネクタが実装された基板とを有している。
【００６７】
相手方コネクタがＺ方向に傾いた状態で基板に実装されている場合、コネクタ２００の上記接続部を接続装置の相手方コネクタに接続する。このとき、コネクタ２００は、第２リブ２１５を支点として当該相手方コネクタの傾きに応じてＺ方向に揺動し、接続される。
【００６８】
相手方コネクタがＸ方向に傾いた状態で基板に実装されている場合、コネクタ２００の上記接続部を接続装置の相手方コネクタに接続する。このとき、コネクタ２００は、第１リブ２１４を支点として当該相手方コネクタの傾きに応じてＸ方向に揺動し、接続される。
【００６９】
相手方コネクタがＸ方向及びＺ方向に傾いた状態で基板に実装されている場合、コネクタ２００の上記接続部を接続装置の相手方コネクタに接続する。このとき、コネクタ２００は、第１、第２リブ２１４、２１５を支点として相手方コネクタの傾きに応じてＸ方向及びＺ方向に揺動し、接続される。
【００７０】
その後、係合部４００のハンドル４４０が回転操作されることにより、受台１００’の支持孔１１５’から突出したネジ部４１０が上記接続装置のネジ孔に螺着される。
【００７１】
このようなフローティングコネクタアッセンブリによる場合、コネクタ２００の第１、第２面２１３ａ、２１３ｂ上の第１リブ２１４が受台１００’係合孔の第１、第２内壁面１３１’、１３２’に線接触すると共に、コネクタ２００のフランジ２１３の第３、第４面２１３ｃ、２１３ｄ上の第２リブ２１５が係合孔の第３、第４内壁面１３３’、１３４’に線接触することにより、コネクタ２００が受台１００’に浮動状態で支持されている。よって、斜めに向いた状態の相手方コネクタを、コネクタ２００にスムーズに接続させることができる。また、相手方コネクタを、コネクタ２００に接続させる際に、当該コネクタ２００のこじりが抑制される。また、第１リブ２１４がコネクタ２００のフランジ２１３の第１、第２面２１３ａ、２１３ｂに一体的に連接され、第２リブ２１５がフランジ２１３の第３、第４面２１３ｃ、２１３ｄに一体的に連接されているので、コネクタ２００のＸ方向及びＺ方向の揺動角度を大きくすることが可能になる。よって、コネクタ２００を傾斜角度の大きい相手方コネクタに接続させることが可能になる。
【００７２】
また、コネクタ２００のフランジ２１３を受台１００’の係合孔に収容させるだけで、コネクタ２００の一対の第１リブ２１４が受台１００’の係合孔の第１、第２内壁面１３１’、１３２’に線接触し、一対の第２リブ２１５が係合孔の第３、第４内壁面１３３’、１３４’に線接触し、これによりコネクタ２００が浮動状態で受台１００に支持される。すなわち、コネクタ２００を受台１００’に浮動状態で支持させる工程を容易に行うことができるので、上記アッセンブリの組み立て作業が容易になる。
【００７３】
しかも、第１リブ２１４がコネクタ２００のボディ２１０のフランジ２１３の第１、第２面２１３ａ、２１３ｂに一体的に設けられた絶縁樹脂製の突脈である。第２リブ２１５もコネクタ２００のボディ２１０のフランジ２１３の第３、第４面２１３ｃ、２１３ｄに一体的に設けられた絶縁樹脂製の突脈である。よって、上記アッセンブリの部品点数の低減を図ることができ、低コスト化をはかることができる。また、コネクタ２００のフランジ２１３の外形が受台１００’の第１本体孔１１１’の内形よりも大きい。このフランジ２１３が受台１００’の係合孔に収容され、第１本体孔１１１’の縁部及び第２本体部の縁部に対向しているので、上記アッセンブリの部品点数を増加させることなく、コネクタ２００の抜け止めを実現させることができる。
【００７４】
なお、上述したフローティングコネクタアッセンブリは、上記実施例に限定されるものではなく、特許請求の範囲の記載範囲において任意に設計変更することが可能である。以下、詳しく述べる。
【００７５】
実施例１及び２では、コネクタ２００は、ボディ２１０と、複数のコンタクト２２０と、基板２３０と、支持台２４０と、第１ブロック２５０と、第２ブロック２６０と、シェル２７０とを有しているとした。しかし、コネクタは、第１方向の第１面と、前記第１方向の前記第１面の反対側の第２面とを有する限り任意に設計変更することが可能である。例えば、フランジ２１３を省略し、コネクタ２００のボディ２１０の保持部２１１が、第１、第２、第３、第４面２１３ａ〜２１３ｄを有する構成とすることが可能である。この場合、受台の係合孔も省略可能である。コネクタ２００は、Mini  Display  Portに限定されず、ＵＳＢ、ＨＤＭＩ等の他のコネクタにも適応可能である。
【００７６】
実施例１及び２では、コネクタ２００は、ケーブル３００が接続されているとしたが、これに限定されるものではない。例えば、コネクタ２００の基板２３０にＦＰＣ等の接続部が接続された態様とすることが可能である。
【００７７】
実施例１及び２では、第１リブ２１４は、コネクタ２００のフランジ２１３の第１、第２面２１３ａ、２１３ｂに連接されているとした。しかし、第１リブは、コネクタの第１方向の第１面及び前記第１方向の前記第１面の反対側の第２面上に連接された態様又は受台の収容孔の第１方向の第１、第２内壁面に連接された態様である限り任意に設計変更することが可能である。例えば、実施例１において、受台１００の係合孔の第１内壁面１３１上に連接された第１リブが、Ｘ方向の一方側の端に位置するコネクタ２００の第１面２１３ａに線接触し、受台１００の係合孔の第２内壁面１３２上に連接された第１リブが、Ｘ方向の他方側の端に位置するコネクタ２００の第２面２１３ｂに線接触する構成とすることが可能である。この場合、実施例１と同様に、隣り合うコネクタ２００の隣り合う第１リブ２１４同士が線接触する。また、実施例２において、受台１００’の係合孔の第１内壁面１３１’上に連接された第１リブが、コネクタ２００の第１面２１３ａに線接触し、受台１００’の係合孔の第２内壁面１３２’上に連接された第１リブが、コネクタ２００の第２面２１３ｂに線接触する構成とすることが可能である。
【００７８】
実施例１及び２では、第２リブ２１５は、コネクタ２００のフランジ２１３の第３、第４面２１３ｃ、２１３ｄに連接されているとした。しかし、第２リブは省略可能である。換言すると、第１リブのみが、コネクタを浮動状態で支持し、第１方向及び／又は第２方向に揺動自在とすることが可能である。また、第２リブは、受台の収容孔の第１方向に交差する第２方向の第３、第４内壁面に連接された態様とすることが可能である。具体的には、実施例１において、受台１００の係合孔の第３、第４内壁面１３３、１３４上に連接された第２リブが、コネクタ２００の第３、第４面２１３ｃ、２１３ｄに線接触する構成とすることが可能である。また、実施例２において、受台１００’の係合孔の第３、第４内壁面１３３’、１３４’上に連接された第２リブが、コネクタ２００の第３、第４面２１３ｃ、２１３ｄに線接触する構成とすることが可能である。
【００７９】
上述した第１リブの形状は、コネクタの第１、第２面に対して当接可能、受台の収容孔の第１、第２内壁面に対して当接可能及び／又は第１リブ同士が当接可能である限り任意に設計変更することが可能である。例えば、第１リブは、コネクタの第１、第２面に対して点接触可能、受台の収容孔の第１、第２内壁面に対して点接触可能又は第１リブ同士が点接触可能な円錐状や多角錐状の突起とすることが可能である。また、上述した第２リブの形状は、コネクタの第３、第４面に対して当接可能又は受台の収容孔の第３、第４内壁面に対して当接可能である限り任意に設計変更することが可能である。例えば、第２リブは、コネクタの第３、第４面に対して点接触可能又は受台の収容孔の第３、第４内壁面に対して点接触可能な円錐状や多角錐状の突起とすることが可能である。なお、第１、第２リブは異なる形状に設計変更することが可能である。コネクタの第１面上の第１リブと、コネクタの第２面上の第１リブとが異なる形状とすることが可能である。コネクタの第３面上の第２リブと、コネクタの第４面上の第２リブとが異なる形状とすることが可能である。
【００８０】
実施例１では、受台１００の収容孔は、複数の第１本体孔１１１と、係合孔（組み合わされた第１、第２凹部１１２、１２１）と、複数の第２本体孔（組み合わされた第３、第４凹部１１３、１２２）とを有する構成であるとした。実施例２では、受台１００’の収容孔は、第１本体孔１１１’と、係合孔（組み合わされた第１、第２凹部１１２’、１２１’）と、第２本体孔（組み合わされた第３、第４凹部１１３’、１２２’）とを有する構成であるとした。しかし、上述した受台の収容孔は、第１方向の第１、第２内壁面を有し且つ一つの上述したコネクタ又は複数の上述したコネクタが挿入され得る限り任意に設計変更することが可能である。
【００８１】
例えば、実施例１の受台１００の収容孔が、複数の第１本体孔のみを有する構成とすることが可能である。この場合、隣り合う第１本体孔が連通している。隣り合うコネクタの隣り合う第１リブ同士は、第１本体孔の連通部を通じて互いに当接している。
【００８２】
実施例２の受台１００’は、複数の収容孔が第１方向に間隔をあけて設けられた構成とすることが可能である。この場合、各収容孔にコネクタが浮動状態で挿入され、当該コネクタが第１方向に間隔をあけて配列される。また、実施例２の受台１００’の収容孔は、第１本体孔と、前記第１本体孔に連通し且つ前記第１本体孔の内壁面に設けられた係合凹部とを有する構成とすることが可能である。この場合、コネクタのフランジが前記係合凹部に間隙を有して挿入される。前記係合凹部が、前記第１、第２内壁面を有している場合、前記フランジは、前記第１、第２面を有している。前記係合凹部が、前記第１、第２、第３、第４内壁面を有している場合、前記フランジは、前記第１、第２、第３、第４面を有している。例えば、第１本体孔１１１’のＸ方向の両内壁面に係合凹部が設けられた構成とすることが可能である。この場合、フランジは、コネクタのＸ方向の両面に突設されている。
【００８３】
実施例１では、第１本体孔１１１及び第３、第４凹部１１３、１２２は、所定間隔をあけて受台１００に配設されているとした。しかし、第１本体孔１１１及び第３、第４凹部１１３、１２２は、不均一なピッチ間隔で受台に配設することが可能である。なお、実施例２の複数の収容孔が受台１００’に不均一なピッチ間隔で配設された構成とすることも可能である。
【００８４】
実施例１及び２では、受台は、第１、第２フレームを有しているとしたが、これに限定されるものではない。例えば、樹脂成型により、１又は複数のコネクタが受台の収容孔内に挿入される場合には、受台はワンピースで構成することが可能である。
【００８５】
実施例１では、第１フレーム１１０が、複数の第１本体孔１１１と、第１凹部１１２と、複数の第３凹部１１３と、嵌合凹部１１４と、一対の支持孔１１５とを有し、第２フレーム１２０が、第２凹部１２１と、複数の第４凹部１２２とを有しているとした。実施例２では、第１フレーム１１０’は、第１本体孔１１１’と、第１凹部１１２’と、第３凹部１１３’と、嵌合凹部１１４’と、一対の支持孔１１５’とを有し、第２フレーム１２０’が、第２凹部１２１’と、第４凹部１２２’とを有しているとした。しかし、第１、第２フレームは、これに限定されるものではない。第１フレームが第１凹部を有し、第２フレームが第２凹部を有する構成とすることが可能である。この場合、前記第１、第２フレームが組み合わされることにより、前記第１、第２凹部が組み合わされ、前記収容孔を構成する。例えば、第１フレームの第１凹部が、実施例１又は２の収容孔の第１本体孔１１１、係合孔及び第２本対孔の片側半分を構成し、第２フレームの第２凹部が、実施例１又は２の収容孔の第１本体孔１１１、係合孔及び第２本対孔の残りの片側半分を構成するように設計変更することが可能である。また、上述したように隣り合う第１本体孔が連通している場合も、第１フレームの第１凹部が、前記第１本体孔の片側半分を構成し、第２フレームの第２凹部が前記第１本体孔の残りの片側半分を構成するように設計変更することが可能である。これらの場合、第１、第２フレームを同一形状とし、金型を共用化することが可能である。すなわち、第１、第２フレームの金型費用の低減を図ることができる。
【００８６】
また、第１フレームが第１凹部と、前記第１凹部に連通する孔とを有し、第２フレームが第２凹部を有する構成とすることが可能である。この場合、前記第１、第２フレームが組み合わされることにより、前記第１、第２凹部及び孔が組み合わされ、前記収容孔を構成する。また、第１フレーム１１０が、複数の第１本体孔１１１と、第１凹部１１２とを有し、第２フレーム１２０が、第２凹部１２１を有する構成とすることが可能である。この場合、第３、第４凹部１１３、１２２は省略される。第１、第２フレーム１１０、１２０が組み合わされることにより、第１、第２凹部１１２、１２１が組み合わされ、係合孔を構成する。複数の第１本体孔１１１と前記係合孔が受台の収容孔を構成する。また、第１フレーム１１０’が、第１本体孔１１１’と、第１凹部１１２’とを有し、第２フレーム１２０’が、第２凹部１２１’を有する構成とすることが可能である。この場合、第３、第４凹部１１３’、１２２’は省略される。第１、第２フレーム１１０’、１２０’が組み合わされることにより、第１、第２凹部１１２’、１２１’が組み合わされ、係合孔を構成する。第１本体孔１１１’と前記係合孔が受台の収容孔を構成する。前記係合孔は受台の外部に露出している。前記収容孔も複数受台に設けることが可能である。
【００８７】
実施例１及び２では、第１、第２フレームはネジ止めされているとしたが、第１、第２フレームの固着手段は任意に設計変更することが可能である。例えば、第１、第２フレームをビス止め、溶着、接着等の周知の固着手段により固着させることが可能である。
【００８８】
実施例１及び２では、フローティングコネクタアッセンブリは、一対の係合部４００を備えているとした。しかし、係合部は省略可能である。この場合、受台の支持孔も同様に省略可能である。また、係合部は、上述したフローティングコネクタアッセンブリが接続可能な接続装置に係合し得る限り任意に設計変更することが可能である。例えば、係合部の先端部に設けられたフックが、接続装置の係合孔に係合される構成とすることが可能である。なお、係合部の位置は任意に設計変更することが可能である。
【００８９】
上述した係合孔は、複数の第１本体孔に連通し得る又は第１本体孔に連通し且つ少なくとも第１方向の寸法が当該第１本体孔の前記第１方向の寸法よりも大きい限り任意に設計変更することが可能である。例えば、実施例１の係合孔は、Ｘ方向の寸法が、Ｘ方向の両端の第１本体孔１１１の外側の壁面間の距離Ｄと略同じとすることが可能である。実施例１及び２の係合孔は、第３内壁面が第１本体孔の天井面と面一及び／又は第４内壁面が第１本体孔の底面と面一とすることが可能である。すなわち、係合孔のＺ方向の寸法は、第１本体孔のＺ方向の寸法と同じとすることが可能である。また、係合孔のＺ方向の寸法は、第１本体孔のＺ方向の寸法以下とすることも可能である。これらの場合であっても、コネクタのフランジが係合孔に間隙を有して収容され且つ第１本体孔の縁部に対向することにより、コネクタの抜け止めがなされる。
【００９０】
実施例１及び２では、コネクタ２００のフランジ２１３は略角形のリング状であるとした。しかし、フランジは、前記係合孔に間隙を有して収容され且つ第１本体孔の縁部に対向し得るものである限り任意に設計変更することが可能である。例えば、フランジは、コネクタの保持部のＸ方向及び／又はＺ方向の両面に設けられた一対の突起とすることも可能である。
【００９１】
なお、上記実施例では、フローティングコネクタアッセンブリの各部を構成する素材、形状、寸法、数及び配置等はその一例を説明したものであって、同様の機能を実現し得る限り任意に設計変更することが可能である。上記実施例では、Ｘ方向が第１方向、Ｚ方向が第２方向であるとした。しかし、第１方向は任意に設定することが可能である。第２方向は、第１方向に交差する方向である限り任意に設定することが可能である。
【符号の説明】
【００９２】
１００・・・・受台
１１０・・・第１フレーム
１１１・・第１本体孔
１１２・・第１凹部
１１３・・第３凹部
１１４・・嵌合凹部
１１５・・支持孔
１２０・・・第２フレーム
１２１・・第２凹部
１２２・・第４凹部
１３１・・・第１内壁面
１３２・・・第２内壁面
１３３・・・第３内壁面
１３４・・・第４内壁面
２００・・・・コネクタ
２１０・・・ボディ
２１１・・・保持部
２１２・・・ブッシュ
２１３・・・フランジ
２１３ａ・第１面
２１３ｂ・第２面
２１３ｃ・第３面
２１３ｄ・第４面
２１４・・・第１リブ
２１５・・・第２リブ
２２０・・・コンタクト
２３０・・・基板
２４０・・・支持台
２５０・・・第１ブロック
２６０・・・第２ブロック
２７０・・・シェル
３００・・・・ケーブル
４００・・・・係合部
１００’・・・受台
１１０’・・第１フレーム
１１１’・第１本体孔
１１２’・第１凹部
１１３’・第３凹部
１１４’・嵌合凹部
１１５’・支持孔
１２０’・・第２フレーム
１２１’・第２凹部
１２２’・第４凹部
１３１’・・第１内壁面
１３２’・・第２内壁面
１３３’・・第３内壁面
１３４’・・第４内壁面
【図１Ａ】
2013114800.tif 000003
【図１Ｂ】
2013114800.tif 000004
【図２Ａ】
2013114800.tif 000005
【図２Ｂ】
2013114800.tif 000006
【図３】
2013114800.tif 000007
【図４】
2013114800.tif 000008
【図５Ａ】
2013114800.tif 000009
【図５Ｂ】
2013114800.tif 000010
【図６Ａ】
2013114800.tif 000011
【図６Ｂ】
2013114800.tif 000012
【図７Ａ】
2013114800.tif 000013
【図７Ｂ】
2013114800.tif 000014